(57)【要約】【課題】製造コストを廉価にし得る簡易な構造により、筐体の壁部に発光部が設けられた構造を適切に実現することが可能な操作装置を提供する。【解決手段】操作装置Ａは、筐体１の壁部１１に設けられて筐体１の内部に設けられた光源から進行してくる光を筐体１の外部に出射させて発光部として機能する光透過部と、この光透過部１２以外の領域に光が進行することを阻止する遮光部材５と、壁部１１の裏面から突出し、かつ基端部に切欠き部６０を有している突起６と、を備えており、遮光部材５は、突起６が挿通する挿通孔５１を有し、かつこの挿通孔５１の縁部には、複数の切り込み５２ａが設けられていることにより、先端側を突起６の高さ方向に弾性復元力を伴わせて曲げることが可能な片持ち状の係止用片５３が形成され、この係止用片５３は突起６の切欠き部６０に進入してその縁部に係止可能である。【選択図】  図６
2011114732.tif 000002
【特許請求の範囲】
【請求項１】
制御回路を内部に収容する筐体を備えている、操作装置であって、
前記筐体の壁部に設けられており、かつ前記筐体の内部に設けられた光源から発せられた光を前記筐体の外部に出射させて発光部として機能する光透過部と、
前記筐体内に収容されて前記壁部の裏面側に配され、かつ前記光源から発せられた光を絞って前記光透過部に進行させるアパーチャを有する遮光部材と、
前記壁部の裏面から突出し、かつ前記壁部の裏面近傍の基端部に切欠き部が形成されている突起と、を備えており、
前記遮光部材は、前記突起が挿通する挿通孔を有し、かつこの挿通孔の縁部には、複数の切り込みが設けられていることにより、先端側を前記突起の高さ方向に弾性復元力を伴わせて曲げることが可能な片持ち状の係止用片が形成されており、
この係止用片は、前記突起の切欠き部の縁部に係止可能に前記切欠き部に進入していることを特徴とする、操作装置。
【請求項２】
前記遮光部材の挿通孔の縁部には、追加の切り込みが設けられていることにより、先端側を前記突起の高さ方向に弾性復元力を伴わせて曲げることが可能な片持ち状の押圧用片がさらに形成されており、
この押圧用片は、曲げ変形を生じた状態で前記突起の基端部の側面に当接している、請求項１に記載の操作装置。
【請求項３】
前記突起は、前記筐体内に収容されて前記制御回路を構築する制御基板に設けられた一対の分離対象部位どうしの間に介在し、かつこれら一対の分離対象部位どうしの間を仕切る仕切り壁として構成されている、請求項１または２に記載の操作装置。
【発明の詳細な説明】
【技術分野】
【０００１】
本発明は、給湯装置やその他の装置のリモコンなどとして用いるのに好適な操作装置に関する。
【背景技術】
【０００２】
従来の給湯装置用の操作装置は、たとえば特許文献１〜３に記載されているように、制御回路を内部に収容した筐体の表面部に、複数の操作スイッチが設けられた構成とされているのが一般的である。このような操作装置においては、操作スイッチのオン・オフの区別を行なわせて、操作性を良好にするなどの観点から、ＬＥＤなどを用いた光源を操作スイッチに対応させて設けることがよく行なわれる。ただし、光源を筐体の表面部に設けたのでは、光源と筐体内の制御回路とが離間してそれの配線接続に苦慮する場合がある。また、デザインその他の観点から、筐体の表面部の平面化を図りたい場合において、筐体の表面部に凹凸を生じないように光源を簡易な構造によって体裁良く設けることは必ずしも容易ではない。
【０００３】
このようなことを解消するための手段としては、光源を筐体の表面部に設けるのではなく、筐体の内部に設け、かつ筐体の壁部には、光源から進行してくる光を筐体外部に透過させるための光透過部を設けることが考えられる。また、このような手段を採用する場合においては、光源からの光が光透過部以外の箇所に進行して筐体の外部に不必要に透過することを防止できるように、筐体内に遮光部材を設けることが望まれる。ただし、遮光部材は、光の進路を適切に規制することができるように所定の位置へ正確に位置決めする必要がある。また、遮光部材の位置決め構造は、できる限り簡易なものとして、その製造コストを廉価にすることが望まれる。
【先行技術文献】
【特許文献】
【０００４】
【特許文献１】特開平０５−９９４３３号公報
【特許文献２】特開平０５−１０３３８３号公報
【特許文献３】特開平１０−１１２８９０号公報
【発明の概要】
【発明が解決しようとする課題】
【０００５】
本発明は、前記したような事情のもとで考え出されたものであって、製造コストを廉価にし得る簡易な構造により、筐体の壁部に発光部が設けられた構造を適切に実現することが可能な操作装置を提供することを、その課題としている。
【課題を解決するための手段】
【０００６】
上記の課題を解決するため、本発明では、次の技術的手段を講じている。
【０００７】
本発明により提供される操作装置は、制御回路を内部に収容する筐体を備えている、操作装置であって、前記筐体の壁部に設けられており、かつ前記筐体の内部に設けられた光源から発せられた光を前記筐体の外部に出射させて発光部として機能する光透過部と、前記筐体内に収容されて前記壁部の裏面側に配され、かつ前記光源から発せられた光を絞って前記光透過部に進行させるアパーチャを有する遮光部材と、前記壁部の裏面から突出し、かつ前記壁部の裏面近傍の基端部に切欠き部が形成されている突起と、を備えており、前記遮光部材は、前記突起が挿通する挿通孔を有し、かつこの挿通孔の縁部には、複数の切り込みが設けられていることにより、先端側を前記突起の高さ方向に弾性復元力を伴わせて曲げることが可能な片持ち状の係止用片が形成されており、この係止用片は、前記突起の切欠き部の縁部に係止可能に前記切欠き部に進入していることを特徴としている。
【０００８】
このような構成によれば、光源を筐体の壁部に直接取り付けることなく、筐体の壁部に発光部が設けられた構造が適切に実現される。遮光部材は、発光部としての光透光部以外の箇所に光が不必要に進行することを防止するが、この遮光部材に設けられた挿通孔には、筐体の壁部に設けられた突起が挿通しており、しかもこの突起の基端部に形成された切欠き部には、遮光部材に形成された係止用片が進入してその縁部に係止するために、このような構造により遮光部材の適正な位置決めが図られる。この位置決め構造においては、遮光部材が壁部の面方向（突起の高さ方向と直交する方向）に移動することを規制することができるばかりか、遮光部材が突起の高さ方向に移動することも規制することができる。したがって、遮光部材をたとえば両面接着テープを用いて筐体に接着させるといった必要を無くすことが可能である。前記突起は、たとえば筐体と一体的に樹脂成形するなどして簡易に形成することが可能である一方、遮光部材の係止用片は、この遮光部材に複数の切り込みを設けることにより形成されたものであるため、やはりその形成は容易である。したがって、全体の製造コストも廉価にすることができる。さらに、遮光部材の係止用片は、弾性復元力を伴わせて曲げることが可能であるために、遮光部材の挿通孔に突起を挿通させる際には、係止用片を曲げ変形させることによって、この係止用片が突起を挿通させる作業の支障にならないようにすることもできる。したがって、遮光部材の組み付け作業性もよい。
【０００９】
本発明の好ましい実施の形態においては、前記遮光部材の挿通孔の縁部には、追加の切り込みが設けられていることにより、先端側を前記突起の高さ方向に弾性復元力を伴わせて曲げることが可能な片持ち状の押圧用片がさらに形成されており、この押圧用片は、曲げ変形を生じた状態で前記突起の基端部の側面に当接している。
【００１０】
このような構成によれば、遮光部材の押圧用片が弾性復元力によって、突起の基端部の側面を押圧することとなり、この押圧力によって突起の前記側面とは反対側の側面と遮光部材の挿通孔の縁部とを圧接させることが可能となる。したがって、このような作用により、遮光部材と突起とは押圧用片が突起を押圧する方向およびその反対方向に容易に位置ずれしないこととなり、遮光部材の正確な位置決めを図る上でより好ましいものとなる。
【００１１】
本発明の好ましい実施の形態においては、前記突起は、前記筐体内に収容されて前記制御回路を構築する制御基板に設けられた一対の分離対象部位どうしの間に介在し、かつこれら一対の分離対象部位どうしの間を仕切る仕切り壁として構成されている。
【００１２】
このような構成によれば、遮光部材の位置決めに利用される突起が、所定の一対の分離対象部位どうしの間を仕切る仕切り壁としても兼用されているために、その構成は合理的であり、前記突起とは別に、それ専用の仕切り壁を設ける必要を無くすことができる。
【００１３】
本発明のその他の特徴および利点は、添付図面を参照して以下に行なう発明の実施の形態の説明から、より明らかになるであろう。
【図面の簡単な説明】
【００１４】
【図１】本発明に係る操作装置の一例を示す外観斜視図である。
【図２】図１に示す操作装置の分解斜視図である。
【図３】図１のIII−III要部断面図である。
【図４】図１に示す操作装置において用いられている静電容量センサの一例を示す平面図である。
【図５】図４に示す静電容量センサと図１の操作装置に設けられる光透過部との位置関係を示す要部拡大図である。
【図６】図１のVI−VI要部断面図である。
【図７】（ａ）は、図１のVIIa−VIIa要部断面図であり、（ｂ）は、図１のVIIb−VIIb要部断面図である。
【図８】図１に示す操作装置の筐体と遮光部材との関係を示す一部断面斜視図である。
【図９】図７（ｂ）のIX−IX要部断面図である。
【図１０】図１に示す操作装置において遮光部材を筐体に組み付ける場合の作用を示す要部断面図である。
【発明を実施するための形態】
【００１５】
以下、本発明の好ましい実施の形態について、図面を参照して具体的に説明する。
【００１６】
図１〜図５は、本発明が適用された操作装置の一例を示している。本実施形態の操作装置Ａは、たとえば給湯装置（図示略）の遠隔操作用であり、台所などの壁面に取り付けられて、前記給湯装置のメインコントローラと配線接続された状態で使用される。
【００１７】
図１および図２によく表われるように、この操作装置Ａは、筐体１、この筐体１の前壁部１１の表面側に形成された静電スイッチ操作部ＳＷ０〜ＳＷ３、発光部としての複数の光透過部１２（１２Ａ〜１２Ｃ）、筐体１に設けられた突起６、遮光部材５、静電容量センサ４、制御回路２Ａを構築する制御基板２、およびデータ表示用の表示部３を具備している。
【００１８】
筐体１は、扁平な略直方体状であり、前壁部１１を有する筐体本体部１０を有している。この筐体本体部１０は、合成樹脂製である。本実施形態では、筐体本体部１０の背面側に背板部１９が取り付けられているが、筐体１は、そのような背板部１９を具備することなく、台所などの壁面に取り付けられる構造とすることもできる。
【００１９】
制御基板２は、所定の制御回路２Ａを構築する種々の電気・電子部品を搭載しており、筐体１内に収容されてビスなどを用いて固定されている。データ表示用の表示部３は、給湯温度や時刻などのデータを適宜切り替え表示するためのものであり、たとえば蛍光表示管、液晶パネル、あるいは有機ＥＬパネルなどを用いて構成されている。この表示部３は、制御基板２に搭載されて、筐体１の前壁部１１に設けられている窓部１８に臨むように配置され、かつ透光性のカバー体１７によってその表面が覆われている。
【００２０】
静電容量センサ４は、静電スイッチ操作部ＳＷ０〜ＳＷ３を形成するためのものであり、図３に示すように、筐体１の前壁部１１の裏面側にたとえば接着されている。図４によく表われているように、静電容量センサ４は、透光性および可撓性を有する合成樹脂製の絶縁シート４０に、複数の電極部Ｅ０〜Ｅ４、およびこれらに繋がった複数のリード線部４１が銅などを用いてパターン形成された構成を有している。各リード線部４１の端部４１ａは、制御基板２の端子部２９（図２を参照）に接続され、静電容量センサ４への通電はこの端子部２９を介して行なわれる。制御回路２Ａは、電極部Ｅ０〜Ｅ３のそれぞれの近傍における静電容量の変化に基づいてスイッチ操作がなされたか否かを判断する。前壁部１１の前面側のうち、電極部Ｅ０〜Ｅ３の正面領域が、静電スイッチ操作部ＳＷ０〜ＳＷ３である。電極部Ｅ４は、誤動作防止用であり、この電極部Ｅ４の正面領域は静電スイッチ操作部には相当しない。なお、たとえば、静電スイッチ操作部ＳＷ０は運転スイッチに相当し、静電スイッチ操作部ＳＷ１はメニュースイッチに相当し、静電スイッチ操作部ＳＷ２，ＳＷ３は、増減変更スイッチに相当する。前壁部１１の表面部のうち、静電スイッチ操作部ＳＷ０，ＳＷ１には、たとえば「運転」や「ＭＥＮＵ」などの文字が印刷表示されている。これに対し、静電スイッチ操作部ＳＷ２，ＳＷ３については、そのような印刷表示は設けられていない。
【００２１】
複数の光透過部１２（１２Ａ〜１２Ｃ）は、静電スイッチ操作部ＳＷ１〜ＳＷ３の位置や機能を示すための部分であり、筐体１の前壁部１１の複数箇所を部分的な薄肉部とすることにより構成されている。より具体的には、図３に示すように、前壁部１１の裏面側には、複数の凹部１５ａが形成されていることにより、前壁部１１の複数箇所は薄い厚みｔ１の薄肉部とされており、この薄肉部が光透過部１２に相当する。制御基板２には、ＬＥＤなどの複数の光源７が搭載され、かつこれらの光源７から各光透過部１２に向けて個別に光を進行させることが可能である。光透過部１２は、進行してきた光を筐体１の正面に透過させる。このため、光透過部１２は、筐体１の正面から光って見える（発光する）。図１に示すように、光透過部１２は、たとえば正面視円形リング状、または円形リング内に「＋」もしくは「−」の記号が設けられた形状であるが、これに限定されないことは言う迄もない。
【００２２】
図５に示すように、好ましくは、発光部１２Ａ〜１２Ｃと静電容量センサ４の電極部Ｅ１〜Ｅ３とは、正面視において互いにオーバラップしないように設けられる。より具体的には、電極部Ｅ１〜Ｅ３は、正面視において発光部１２Ａ〜１２Ｃの各周囲に位置するリング状に形成されている。なお、同図に示す構成においては、電極部の総面積を大きくして静電スイッチ感度を高める手段として、電極部Ｅ１〜Ｅ３の内側に、細幅なリード線部４２を介して繋がったアイランド電極部Ｅ１’〜Ｅ３’が設けられている。好ましくは、これらのアイランド電極部Ｅ１’〜Ｅ３’も、発光部１２Ａ〜１２Ｃとのオーバラップを避けた形状に形成されている。このような構成によれば、光源7から発光部１２Ａ〜１２Ｃに進行する光が、電極部Ｅ１〜Ｅ３，Ｅ１’〜Ｅ３’に遮られないようにし、発光部１２Ａ〜１２Ｃの発光輝度が低くならないようにすることができる。
【００２３】
突起６は、筐体１の前壁部１１の裏面から筐体１の背面側に向けて突出しており、前壁部１１と一体的に樹脂成形されている。図６および図７に示すように、この突起６は、制御基板２に接続される電気配線８の端部８０どうしが接触して短絡することを防止する仕切り壁として機能する部分であるが、後述するように遮光部材５の位置決め用の突起としても機能する。より具体的には、制御基板２には、一対の端子部２０が設けられ、これらの端子部２０には、電気配線８の端部８０がネジ体２１を用いて接続されている。電気配線８は、前記した給湯装置のメインコントローラとの接続に利用されるものであり、たとえば筐体１の背板部１９に設けられた開口部１９ａを介して筐体１の外部に引き出される。突起６は、制御基板２に設けられたスリット２８に挿通し、かつ電気配線８の端部８０どうしの間を仕切っている。このことにより、電気配線８が種々の方向に引っ張られても、その端部８０どうしが接触して電気的短絡を生じることは適切に防止される。電気配線８の端部８０は、本発明でいう一対の分離対象部位の一例に相当する。
【００２４】
突起６のうち、筐体１の前壁部１１寄りの基端部には、切欠き部６０が開口して設けられている。この切欠き部６０は、突起６の幅方向（図７の左右方向）の中間部に位置しており、突起６の基端部の幅方向両端部の２箇所が前壁部１１に繋がっている。このような構成によれば、突起６の基端部が可撓性を有することとなり、先端側を図６の矢印Ｎ１方向に弾性変形させることが可能となる。したがって、この突起６が電気配線８の端部８０に接触して押圧された場合であっても、この突起６をその押圧方向に適度に弾性変形させて、この突起６が破損することを防止する効果が得られる。
【００２５】
遮光部材５は、たとえば黒色またはこれに近い暗色の遮光性に優れた樹脂製シートを利用して構成されている。この遮光部材５は、図８によく表われているように、光透過用の複数のアパーチャ５０、突起６を挿通させるための挿通孔５１、この挿通孔５１の縁部に形成された複数の切り込み５２ａ，５２ｂ、これら複数の切り込み５２ａ，５２ｂにより形成された係止用片５３、一対の押圧用片５４、およびこの遮光部材５の周囲に位置する起立部５５を有している。起立部５５は、遮光部材５を筐体１内に収容した際にこの筐体１の側壁部に沿わせるための部分であり、たとえば略矩形の樹脂製シートを用いて遮光部材５を製作する場合に、そのシートの四隅に切り込みを設けて、この樹脂製シートの周縁部を折り曲げることにより形成することができる。複数のアパーチャ５０は、光透過部１２に向けて光を進行させるための部分である。複数の切り込み５２ａ，５２ｂは、図８の要部拡大図によく表われているように、互いに略並行となるように設けられ、かついずれもその一端が挿通孔５１に繋がるように設けられている。
【００２６】
遮光部材５の係止用片５３は、突起６の切欠き部６０に進入させるための部分であり、一対の切り込み５２ａおよび挿通孔５１を介して遮光部材５の他の部分とは一部分が分離した片持ち状である。この係止用片５３は、その基端部（仮想線Ｌ１の部分）を中心として、先端側を矢印Ｎ３で示すように遮光部材５の厚み方向に弾性復元力を伴わせて曲げることが可能である。各押圧用片５４は、突起６の側面に当接させてこの側面を押圧させるための部分であり、切り込み５２ａ，５２ｂおよび挿通孔５１を介して遮光部材５の他の部分とは一部分が分離した片持ち状である。この押圧用片５４は、その基端部（仮想線Ｌ２の部分）を中心として、先端側を矢印Ｎ４で示すように遮光部材５の厚み方向に弾性復元力を伴わせて曲げることが可能である。
【００２７】
遮光部材５は、図３に示すように、筐体１内に収容されて、アパーチャ５０が光透過部１２と対向する配置に取り付けられる。この取り付けに際しては、図６および図７に示したように、突起６が挿通孔５１に挿通した状態とされる。なお、図６においては、突起６が静電容量センサ４に挿通していないが、この静電容量センサ４が比較的大きなサイズに形成されて突起６と干渉する虞がある場合には、この静電容量センサ４に対しても突起６を挿通させた構成とすればよい。図６の要部拡大図によく表われているように、突起６の切欠き部６０には、係止用片５３が進入しており、この係止用片５３は、切欠き部６０の縁部６０ａ，６０ｂ（図７（ｂ）も参照）に係止可能である。図９に示すように、遮光部材５の各押圧用片５４は、突起６の基端部の非切欠き部分の側面に対し、曲げ変形を生じた状態で当接している。したがって、この押圧用片５４は、矢印Ｎ２方向へ突起６の一側面を押圧し、挿通孔５１の縁部５１ａと突起６の他側面とを圧接させる。
【００２８】
次に、前記した操作装置Ａの作用について説明する。
【００２９】
まず、筐体１の前壁部１１の表面側には、静電スイッチ操作部ＳＷ０〜ＳＷ３が形成されており、これらの形成領域は、凹凸の無い、または少ない平面状とすることが可能である。したがって、多くの凹凸状の操作スイッチが密集して設けられている場合とは異なり、この操作装置Ａでは、外観がシンプルで洒落た印象を与える体裁の良いデザインに仕上げることができる他、前壁部１１の表面が汚れ難くなる。また、仮に汚れを生じたとしても、清掃により汚れを落とし易くなる。また、前壁部１１には突起６が一体的に樹脂成形されているが、この突起６の基端部には切欠き部６０が設けられて、この突起６と前壁部１１とが直接繋がる部分のボリュームが小さくされている。このため、これらの樹脂成形時において、前壁部１１の表面に、突起６の存在に起因するヒケを生じ難くできる効果も得られる。
【００３０】
静電スイッチ操作部ＳＷ２，ＳＷ３については、その位置や機能を示す文字表示が設けられていないものの、その位置や機能については光透過部１２Ｂ，１２Ｃを光らせることによってユーザに認識させることができる。静電スイッチ操作部ＳＷ１は、「ＭＥＮＵ」の文字表示によってその位置を認識することができるが、光透過部１２Ａを光らせることによって、その位置をユーザにより明確に認識させることが可能である。また、光透過部１２を適当なタイミングで光らせることによって、ユーザに特定の情報を与えることも可能となる。
【００３１】
この操作装置Ａにおいては、静電スイッチ操作部ＳＷ０〜ＳＷ３が静電容量センサ４を筐体１内に設けることにより構成され、かつ発光部としての光透過部１２は、筐体１の前壁部１１に凹状部１５ａを設けることにより形成されており、筐体１自体がタッチパネルの主要構成部材と同様な役割を果たすものとなっている。したがって、その構成は合理的であり、たとえば無接点スイッチや表示手段などを一式揃えたタッチパネルを筐体１に組み込む場合と比較すると、その製造コストを大幅に低減することが可能である。
【００３２】
遮光部材５は、光源７から発せられた光を絞り、アパーチャ５０を介して光透過部１２に向けて進行させる。このため、光源７からの光が前壁部１１の他の部分から筐体１の外部に漏れないようにすることができる。前壁部１１の全体が比較的薄手であって、その色彩が白色またはこれに近い色彩である場合には、前壁部１１の光透過部１２以外の箇所を少量ながらも光が透過し、前壁部１１の広い領域が明るく見える虞があるが、遮光部材５は、そのような虞も適切に防止する。
【００３３】
遮光部材５の係止用片５３は、図６および図７を参照して説明したように、突起６の切欠き部６０に進入してその縁部６０ａ，６０ｂに係止するために、遮光部材５が縁部６０ａ，６０ｂと係止する方向に位置ずれすることは適切に防止される。とくに、係止用片５３が縁部６０ａに係止する作用は、遮光部材５が筐体１の背面側に位置ずれすることを有効に規制する。また、係止用片５３が縁部６０ｂに係止する作用は、遮光部材５が突起６の高さ方向とは交差する方向に移動することを有効に規制する。一方、係止用片５３は弾性復元力を伴ってその先端部側が曲げ変形可能であるため、図１０に示すように、挿通孔５１に突起６を挿通させつつ、遮光部材５を筐体１に組み付ける場合には、係止用片５３を突起６の側面に沿わせて曲げることができる。したがって、係止用片５３の存在が遮光部材５の組み付け作業に支障を生じることはない。また、遮光部材５を同図の符号ｎ１で示す位置よりもさらに前壁部１１寄りに移動させると、曲げ状態にあった係止用片５３が切欠き部６０に勢い良く進入して前壁部１１に当たり、その際に音が発生する。したがって、この音を聞くことにより、作業者は係止用片５３が切欠き部６０に適切に進入したことを確認することができ、組み付け不良を防止する効果も得られる。
【００３４】
図９を参照して説明したように、遮光部材５の押圧用片５４は、矢印Ｎ２方向へ突起６の一側面を押圧し、挿通孔５１の縁部５１ａと突起６の他側面とを圧接させる。このような作用により、遮光部材５は、矢印Ｎ２方向およびその反対方向に容易に位置ずれしないこととなり、遮光部材５を一層適正に位置決め固定することが可能となる。このため、遮光部材５の固定を図ることを目的としてたとえば両面接着テープなどを用いる必要も無くすことができる。
【００３５】
遮光部材５は、たとえば樹脂製シートを加工して形成されており、その原材料は廉価である。また、係止用片５３や押圧用片５４は、遮光部材５に複数の切り込み５２ａ，５２ｂを設けることにより形成されているために、その形成は容易であり、加工コストも廉価である。したがって、遮光部材５の製造コストも廉価とし、操作装置Ａ全体のコスト上昇を適切に抑制することが可能である。
【００３６】
本発明は上述した実施形態の内容に限定されない。本発明に係る操作装置の各部の具体的な構成は、種々に設計変更自在である。
【００３７】
遮光部材は、樹脂製シート以外の部材を利用して形成することができる。筐体に設けられる突起の基端部には、切欠き部を複数設けることも可能であり、このような場合には、これに対応させて遮光部材に係止用片を複数設けた構成とすることもできる。また、前記突起としては、必ずしも電気配線の端部の絶縁分離を行なわせるためのものとして構成されていなくてもよい。
【００３８】
本発明でいう発光部としての光透過部は、筐体の壁部に設けられた薄肉部でなくてもよい。たとえば、筐体の壁部に設けられた貫通孔として構成し、この貫通孔を光が透過することによってこの部分が明るく見えるようにしてもかまわない。光透過部の形状が円形リング状などに限定されないことは先に述べたとおりである。
【００３９】
操作スイッチとしては、必ずしも静電方式のものを備えていなくてもよく、全ての操作スイッチがたとえば押釦方式のものとされていてもかまわない。本発明に係る操作装置は、給湯装置用以外として、種々の装置・機器類（たとえば、コージェネレーションシステム、ヒートポンプ、空調機、軟水器などの水処理装置など）の遠隔操作用、または遠隔操作用以外の操作装置として構成することができる。
【図１】
2011114732.tif 000003
【図２】
2011114732.tif 000004
【図３】
2011114732.tif 000005
【図４】
2011114732.tif 000006
【図５】
2011114732.tif 000007
【図６】
2011114732.tif 000008
【図７】
2011114732.tif 000009
【図８】
2011114732.tif 000010
【図９】
2011114732.tif 000011
【図１０】
2011114732.tif 000012